(57)【要約】【課題】  高分子樹脂のナノファイバーを基材として柔軟性があり、導電性に優れるうえコストも安く、かつ、十分で均一な導電性を有し導電層の剥離もしにくい導電性ナノファイバーの製造方法を提供する。【解決手段】  イオン伝導性ポリマーをナノファイバー化し、ナノファイバー化した前記イオン伝導性ポリマーの繊維を金属溶液に浸して金属イオンを前記繊維に浸潤させた後、カチオン置換又はアニオン置換による無電解メッキにより繊維内部の金属を析出させて導電層を繊維表面に形成するようにした。前記イオン伝導性ポリマーはパーフルオロカーボンスルホン酸ポリマーであるとよく、エレクトロスピニング法によって前記イオン伝導性ポリマーをナノファイバー化するようにしてもよい。【選択図】  図１
2015035291.tif 000002
【特許請求の範囲】
【請求項１】
イオン伝導性ポリマーをナノファイバー化し、
ナノファイバー化した前記イオン伝導性ポリマーの繊維を金属溶液に浸して金属イオンを前記繊維に浸潤させた後、カチオン置換又はアニオン置換による無電解メッキにより繊維内部の金属を析出させて導電層を繊維表面に形成すること、
を特徴とする導電性ナノファイバーの製造方法。
【請求項２】
前記イオン伝導性ポリマーがパーフルオロカーボンスルホン酸ポリマーであることを特徴とする請求項１に記載の導電性ナノファイバーの製造方法。
【請求項３】
エレクトロスピニング法によって前記イオン伝導性ポリマーをナノファイバー化することを特徴とする請求項１又は２に記載の導電性ナノファイバーの製造方法。
【請求項４】
ナノファイバー化した前記イオン伝導性ポリマーの繊維の表面で、カチオン置換又はアニオン置換により析出した金属粒子の一部を成長させて金属核を形成することを特徴とする請求項１〜３のいずれかに記載の導電性ナノファイバーの製造方法。
【請求項５】
前記イオン伝導性ポリマーをナノファイバー化した繊維として供給する供給部と前記繊維を巻き取る巻取り部との間に、前記金属溶液を貯留する金属溶液槽と、前記繊維の洗浄を行う洗浄部と、カチオン置換又はアニオン置換によって無電解メッキを行う無電解メッキ槽とを配置し、前記供給部から供給された前記繊維を金属溶液槽、洗浄部、無電解メッキ槽の順に受け渡すこと、
を特徴とする請求項１〜４のいずれかに記載の導電性ナノファイバーの製造方法。
【請求項６】
前記イオン伝導性ポリマーをナノファイバー化した繊維として供給する供給部と、前記繊維を巻き取る巻取り部と、前記金属溶液を貯留する金属溶液槽と、前記繊維の洗浄を行う洗浄部と、カチオン置換又はアニオン置換によって無電解メッキを行う無電解メッキ槽とを準備し、前記供給部から供給された前記繊維を前記巻取り部で巻き取った後、前記繊維を前記巻取り部から取り外し、前記金属溶液槽、前記洗浄部、前記無電解メッキ槽の順に受け渡すこと、
を特徴とする請求項１〜４のいずれかに記載の導電性ナノファイバーの製造方法。
【請求項７】
外周に導電性の金属層又は前記金属層と絶縁層とを備えるとともに、少なくとも前記金属層又は前記絶縁層を前記外周から着脱自在とした前記巻取り部を準備することを特徴とする請求項５又は６に記載の導電性ナノファイバーの製造方法。
【発明の詳細な説明】
【技術分野】
【０００１】
本発明は、タッチパネル、帯電防止剤、電磁シールド、電池の電極材料、気体拡散電極、スーパーキャパシタ電極等に用いられる導電性ナノファイバーの製造方法に関する。
【背景技術】
【０００２】
本願出願人は、特許第５０７９２４４号（特許文献１）で導電性布帛からなる電極をイオン伝導膜の両面に接合し、前記電極に電位差を与えることでイオン伝導膜に変形を生じさせるようにした複合材料を提案している。このような複合材料をアクチュエーター素子として利用する研究も進められている（特許文献１及び特許文献２参照）。
ところで、前記導電性布帛は、カーボンナノチューブ（ＣＮＴ）や炭素繊維等で形成することができるが、炭素構造であるため硬さや長さなどの点で問題がある。
【０００３】
そこで、導電性ナノファイバーを樹脂シートの上に積層することで導電性ナノファイバシートを形成することが提案されている（例えば特許文献３参照）。この文献によれば、導電性ナノファイバーは金、銀、白金等の白色系の極細金属繊維（極細導電繊維）や酸化亜鉛等からなる無色の極細金属酸化物繊維（極細導電繊維）等で形成することができる。
しかし、このような金属繊維は微細径化に限界があり、切れやすいという問題がある。
また、ポリイミド（ＰＩ）、ポリスチレン（ＰＳ）、ポリカーボネイト（ＰＣ）、等の樹脂をエレクトロスピニング法でよりナノファイバー化し、ナノファイバー化したこれら樹脂の繊維にイオンを照射することで、前記繊維の表面に凹凸を形成し、この凹凸にイオンを吸着させることで導電性ナノファイバーを形成する技術が提案されている（例えば特許文献４参照）。
さらに、特許文献５には、ナノファイバー化したポリマー繊維２の表面に金属層（金属ナノ構造体）１を形成する方法が開示されている。この文献に記載の方法では、ナノファイバー化したポリマー繊維２の表面に触媒粒子３を吸着させ、その上から金属を無電解メッキするようにしている。
【先行技術文献】
【特許文献】
【０００４】
【特許文献１】特許第５０７９２４４号
【特許文献２】特開２０１１−１７２３８３号公報
【特許文献３】特開２０１０−２５３８１３号公報
【特許文献４】特開２００９−１３８３０５号公報
【特許文献５】特開２０１１−２１４０７４号公報
【発明の開示】
【発明が解決しようとする課題】
【０００５】
しかし、特許文献４に記載の導電性ナノファイバーは製造が困難でコストも高く、導電性ナノファイバーに対する金属の食い込み度が小さいことからメッキ層が剥離しやすいという問題がある。また、前記メッキ層を均一にできないことから導電性ナノファイバーで形成されたシートの導電性にバラツキがあったり、十分な導電性を得られないという問題もある。
なお、文献５に記載の方法は、ナノファイバー化されたポリマー繊維等の上に金属を配置することで、外径１１ｎｍ〜５０μｍ，内径１０ｎｍ〜１０μｍの金属ナノ構造体を得ることを目的とするものであり、ナノファイバー化した繊維から金属ナノ構造体が分離できることを前提としているから、ナノファイバー化した繊維と金属ナノ構造体との複合物を導電性ファイバーとして使用することは困難である。
本発明は上記の問題に鑑みてなされたもので、高分子樹脂のナノファイバーを基材として柔軟性があり、導電性に優れるうえコストも安く、かつ、十分で均一な導電性を有し導電層の剥離もしにくい導電性ナノファイバーの製造方法の提供を目的とする。
【課題を解決するための手段】
【０００６】
上記課題を解決するために、本願発明は、イオン伝導性ポリマーをナノファイバー化し、ナノファイバー化した前記イオン伝導性ポリマーの繊維を金属溶液に浸して金属イオンを前記繊維に浸潤させた後、カチオン置換又はアニオン置換による無電解メッキにより繊維内部の金属を析出させて導電層を繊維表面に形成する方法としてある。
前記イオン伝導性ポリマーとしては、パーフルオロカーボンスルホン酸ポリマーを使用することができ、デュポン社のＮａｆｉｏｎ（登録商標）が好適である。このイオン伝導性ポリマーは、例えばエレクトロスピニング法によってナノファイバー化することができる。
【０００７】
ナノファイバー化した前記イオン伝導性ポリマーの繊維の表面で、カチオン置換又はアニオン置換により析出した金属粒子の一部を成長させて金属核を形成することも可能である。適切な大きさの金属核を適切な密度で前記繊維の表面に形成することで、表面積が増大してさらに導電性を向上させることができる。
本発明においては、前記イオン伝導性ポリマーをナノファイバー化した繊維として供給する供給部と前記繊維を巻き取る巻取り部との間に、前記金属溶液を貯留する金属溶液槽と、前記繊維の洗浄を行う洗浄部と、カチオン置換又はアニオン置換によって無電解メッキを行う無電解メッキ槽とを配置し、前記供給部から供給された前記繊維を金属溶液槽、洗浄部、無電解メッキ槽の順に受け渡すように構成することで、ノズルから供給された繊維に連続的に導電層を形成することが可能である。
【０００８】
また、前記イオン伝導性ポリマーをナノファイバー化した繊維として供給する供給部と、前記繊維を巻き取る巻取り部と、前記金属溶液を貯留する金属溶液槽と、前記繊維の洗浄を行う洗浄部と、カチオン置換又はアニオン置換によって無電解メッキを行う無電解メッキ槽とを準備し、前記供給部から供給された前記繊維を前記巻取り部で巻き取った後、前記繊維を前記巻取り部から取り外し、前記金属溶液槽、前記洗浄部、前記無電解メッキ槽の順に受け渡すように構成してもよい。
【０００９】
前記繊維を前記巻取り部から取り外せるようにするには、外周に導電性の金属層又は前記金属層と絶縁層とを備えるとともに、少なくとも前記金属層又は前記絶縁層を前記外周から着脱自在とした前記巻取り部を準備して、前記絶縁層に巻き付けた前記繊維を前記金属層、前記絶縁層又は前記絶縁層及び前記金属層とともに前記巻取り部から取り外すようにしてもよい。前記金属層はアルミ箔や金箔等の金属箔で形成することができ、前記絶縁層は、絶縁性の樹脂繊維で形成された不織布を用いて形成することができる。
【発明の効果】
【００１０】
本発明は上記のように構成されているので、高分子樹脂のナノファイバーを基材として柔軟性があり、かつ、導通性に優れて安価なコストで導電性ナノファイバーの提供が可能である。
また、高分子樹脂のナノファイバーの表面に金属が楔状に析出して導電層が形成されるため、導電層が容易に剥離することがない。また、金属核を成長させることでより導電性を高めることが可能である。
【発明を実施するための最良の形態】
【００１１】
以下、本発明の好適な実施形態を、図面を参照しながら詳細に説明する。
［高分子電解質］
イオン伝導性ポリマーは高分子電解質であればよく、デュポン社のＮａｆｉｏｎ（登録商標）、旭化成社製のＡｃｉｐｌｅｘ（登録商標）、旭硝子社製のＦｌｅｍｉｏｎ（登録商標）などのイオン交換基を有するフッ素系高分子電解質を好適に用いることができる。その他、脂肪族炭化水素や芳香族炭化水素にスルホン酸基（−ＳＯ3Ｈ）、カルボキシル基（−ＣＯＯＨ）、ホスホン基（−ＰＯ3Ｈ2）、スルホニルイミド基（−ＳＯ2ＮＨＳＯ2−）、フェノール性水酸基等のイオン交換基を導入した炭化水素系高分子電解質などを用いることができる。
【００１２】
［ナノファイバー化］
上記の高分子電解質を繊維直径がナノメートル（ｎｍ）オーダーにナノファイバー化する方法としては、公知の種々のものを用いることができる。典型的な方法としては、海島型複合繊維から海成分を除去し、島成分よりなるナノサイズのフィブリルを得る方法、エレクトロスピニング法、エレクトロブロー法のように電界場中で紡糸することで発生するクーロン力によりナノサイズまで延伸する方法などを挙げることができる。また、これ以外の方法としては、特開２０１１−１６８９３１号公報に記載されているような、０．１ｍ／分以上、１００ｍ／分以下の速度で移動する高配向繊維の繊維糸条もしくは繊維集合体にノズルからドライアイス粒または液化炭酸を衝突させ、該繊維糸条もしくは該繊維集合体の少なくとも一部の繊維をナノファイバー化する方法を挙げることができる。
【００１３】
粘性や化学的性質等により高分子電解質のナノファイバー化が困難な場合には、補助剤を用いるとよい。例えば、デュポン社のＮａｆｉｏｎ（登録商標）を用いてエレクトロスピニング法によりナノファイバー化する場合は、ポリエチレンオキサイド（ＰＥＯ）を補助剤として２０ｗｔ％程度混合するとよい。また、印加電圧、電極間距離、溶液濃度を調整することで、エレクトロスピンニングによるナノファイバーの径を調整することができる。
【００１４】
［無電解メッキ層の形成］
導電性を有する金属イオンを含有する金属水溶液を準備する。金属イオンとしては、金、白金、アルミ、ニッケル、パラジウム、銀、銅等を挙げることができる。
この金属水溶液にナノファイバー化したイオン伝導性ポリマーを糸状のまま浸す。例えばエレクトロスピニング法を利用してナノファイバー化する場合は、図１（ａ）に示すように、ノズル１から貯留槽３の前記金属水溶液にイオン伝導性ポリマーを直接供給するようにしてもよいし、図１（ｂ）に示すように、ノズル１から射出されたイオン伝導性ポリマーをいったん巻取りロール２に巻き取って、貯留槽３の前記金属水溶液に浸漬するようにしてもよい。
【００１５】
ナノファイバー化したイオン伝導性ポリマーの繊維Ｆを前記金属水溶液に浸漬する時間は、３０分〜６０分程度である。
この後、イオン伝導性ポリマーの繊維Ｆの表面を洗浄し、水素原子やハロゲン原子を含む水溶液（カチオン置換液）にイオン伝導性ポリマーの繊維を浸ける。このようにすることで、カチオン置換液に含まれる水素原子等によってイオン伝導性ポリマーの内部の金属イオンが表面に移動し、当該表面で電子を受け取ることで金属粒子が析出し、導電性のメッキ層を形成する。
【００１６】
このような一連の作業は、例えば図１（ａ）（ｂ）及び図２に示すような装置によって行うことができる。
図１（ａ）の例では、ノズル１から射出されナノファイバー化されたイオン伝導性ポリマーの繊維Ｆは、その一端を巻取りロール２に巻き取られる。巻取りロール２の回転速度はノズル１からの繊維Ｆの射出速度に合わせる。そして、ノズル１と巻取りロール２との間に金属水溶液を貯留した金属水溶液槽３、繊維Ｆの洗浄を行う洗浄槽４及びカチオン置換液を貯留した無電解メッキ槽５を配置する。
【００１７】
ノズル１から射出されたイオン伝導性ポリマーの繊維Ｆは、まず金属水溶液槽３に投入される。繊維Ｆは３０分〜６０分程度の時間を掛けて金属水溶液槽３の中を移動した後、洗浄槽４に投入されて洗浄が行われる。この後、無電解メッキ槽５に投入されて無電解メッキが行われ、繊維Ｆの表面に導電層が形成されて巻取りロール２に巻き取られる。
図１（ｂ）の例では、ノズル１から射出されナノファイバー化されたイオン伝導性ポリマーの繊維Ｆは、ノズル１から射出された直後に糸状のまま巻取りロール２によって巻き取られる。巻取りロール２の回転速度はノズル１からの繊維Ｆの射出速度に合わせる。ノズル１と巻取りロール２とを図中矢印Ｘで示す方向に相対的に移動させつつ巻取りロール２に繊維Ｆを巻き取らせることで、糸状のままで螺旋状に巻かれた繊維Ｆの集合体が形成される。この繊維Ｆの集合体を巻取りロール２から外し、図１（ａ）の場合と同様に金属水溶液槽３、洗浄槽４、無電解メッキ槽５の順に投入して、繊維Ｆの表面に導電層を形成する。
【００１８】
図１（ａ）（ｂ）のいずれの場合においても、図２に示すような巻取りロール２を用いることで、巻取りロール２に巻き取られたナノファイバー化された繊維Ｆ又は導電性ナノファイバーを、巻取りロール２から取り外すことが容易になる。
すなわち、巻取りロール２の外周に導電性の金属箔２１を巻き付け、さらにその外側に絶縁性のシート２２を巻き付けて金属層と絶縁層とを形成する。金属箔２１としてはアルミ箔や銅箔、金箔等を用いることができ、絶縁シート２２としては絶縁性樹脂繊維で形成された不織布を用いることができる。アルミ箔等の金属箔２１を用いれば、不織布等で形成された絶縁シート２２の巻取りロール２に対する密着性を高めることができるうえ、巻き取った繊維Ｆや導電性ナノファイバーを、金属箔２１及び絶縁シート２２とともに巻取りロール２から容易に取り外せるという利点がある。もちろん、絶縁シート２２のみを巻取りロール２に対して容易に取り外せるようにしてもよい。
なお、絶縁シート２２は、繊維Ｆや導電性ナノファイバーに付着した溶媒等の液体成分を吸収して、エレクトロスピニングに与える前記液体成分の悪影響を抑制する機能を有することから、このような液体成分による悪影響を考慮する必要がない場合は、前記絶縁層（絶縁シート２２）は特に設けなくてもよい。
【００１９】
［導電性繊維］
図３（ａ）は、上記の工程で得られたイオン伝導性ポリマーの導電性繊維の様子を模式的に示した断面図、（ｂ）は（ａ）のＡ部分の部分拡大図である。
図３（ａ）に示すように、金属水溶液に浸漬することで繊維Ｆの内部に入り込んだイオン状態の金属が、カチオン置換水溶液に繊維Ｆを浸漬すること繊維Ｆの表面に引き寄せられ、繊維Ｆの表面でカチオン置換水溶液から電子を受け取って析出する。そのため、カチオン置換による無電解メッキの場合の金属粒子７の分布は、図３（ａ）に示すように繊維Ｆの内側から金属表面に近づくほど密になり、繊維Ｆの表面で最大となる。また、繊維Ｆの表面に析出した金属粒子７の一部が成長して、大きな金属核８を形成する。金属核８の大きさや数は、カチオン置換水溶液への繊維Ｆの浸漬時間等によって調整が可能である。
【００２０】
このようにして得られた導電性ナノファイバーは、繊維Ｆの表面に金属粒子７が隙間無く析出していて、金属粒子７の一部が成長して大きな金属核８を形成する。そして、このような導電性ファイバーを使って形成された不織布は、金属粒子７と金属核８との相互作用により導電性が極めて高いものとなる。さらに、金属粒子７や金属核８は、繊維Ｆの内部から金属が析出して形成されるので、繊維Ｆの表面に金属粒子７や金属核９が楔状に打ち込まれた状態になっている。そのため、繊維Ｆの表面からメッキ層が容易に剥離することがないという利点がある。
【００２１】
［実施例］
高分子電解質としてパーフルオロカーボンスルホン酸ポリマー（Ｎａｆｉｏｎ（登録商標））を用い、補助剤として、ＰＥＯ（ポリエチレンオキシド）を２０ｗｔ％混合して、エレクトロスピンニング法によりナノファイバー化した。
得られたファイバーを蒸留水で洗浄し、濃度０．１Ｍのテトラアンミンジクロロ白金の白金錯体溶液に３０分間漬け、ファイバー内部の高分子電解質の静電作用によって白金錯体をファイバー内に吸着させた。
そして、２５℃、５０ｍＭの水素化ホウ素ナトリウム溶液にファイバーを浸漬して白金錯体を還元した後、ファイバーを蒸留水ですすぎ、１Ｍの硝酸に１時間浸漬した。さらに、蒸留水で洗浄後、０．２ＭのＬｉＯＨ溶液に一晩浸漬した後、蒸留水で軽くすすいで大気中で乾燥させた。
【００２２】
図４に、この実施例で得られた導電性ナノファイバーを使った不織布シートのＳＥＭ画像を示す。
図４に示すように、本発明にかかる導電性ナノファイバーは、その表面が隙間無く導電性の金属粒子で覆われ、かつ、その表面に多数の金属核が成長しているのがわかる。この金属核及び金属粒子は、繊維の内部に楔状に入り込んでいるため、金属核と金属粒子とからなるメッキ層が繊維から剥落しにくくなっている。また、前記メッキ層が表面積を増大させていて、導電性ナノファイバーの導電性を向上させている。
【００２３】
このようにして得られた導電性ナノファイバーのシートに電極を当てて抵抗値の測定を行った。その結果、電位差１．２８Ｖ、電極間距離５ｍｍで抵抗値は１０ｋΩ程度であった。なお、導電性を付与しないナノファイバーのシートの場合は、抵抗値が計測限界の１００ＭΩを越え、測定不能であった。
【００２４】
本発明の好適な実施形態について説明したが、本発明は上記の説明に限定されない。
例えば、上記の説明ではカチオン置換によって無電解メッキを行っているが、金属水溶液に含まれる金属によっては、アニオン置換によって無電解メッキを行うようにしてもよい。
また、アルミ箔等の導電性の金属箔や絶縁性の繊維で形成された不織布で金属層や絶縁層を形成するものとして説明したが、
【産業上の利用可能性】
【００２５】
本発明の方法により製造された導電性ナノファイバーは、タッチパネル、帯電防止剤、電磁シールド、電池の電極材料、気体拡散電極、スーパーキャパシタ電極等に広範に利用が可能である。
【図面の簡単な説明】
【００２６】
【図１】導電性ナノファイバーを製造する製造装置の一例を示す概略図である。
【図２】イオン伝導性ポリマーの繊維を巻き取る巻取りロールの一実施形態にかかり、その構成を説明する斜視図である。
【図３】図３（ａ）は、イオン伝導性ポリマーの導電性繊維の様子を模式的に示した断面図、（ｂ）は（ａ）のＡ部分の部分拡大図である。
【図４】本発明の製造方法によって得られた導電性ナノファイバーを使って不織布のシートを作成した場合のＳＥＭ画像である。
【符号の説明】
【００２７】
１        ノズル
２        巻取りロール（巻取り部）
２１      金属箔（金属層）
２２      絶縁シート（絶縁層）
３        金属水溶液槽
４        洗浄槽（洗浄部）
５        無電解メッキ槽
７        金属粒子
８        金属核
Ｆ        繊維（ナノファイバー）
【図１】
2015035291.tif 000003
【図２】
2015035291.tif 000004
【図３】
2015035291.tif 000005
【図４】
2015035291.tif 000006